(57)【特許請求の範囲】
【請求項１】
医療機器と、前記医療機器を収容した扁平箱状のパッケージ本体と、を備えた医療機器パッケージであって、
前記パッケージ本体の一辺を構成する縁部は、前記パッケージ本体の厚さ方向に対して傾斜した傾斜部を有し、
前記パッケージ本体は、前記厚さ方向に離間して互いに略平行に対向する第１主面壁及び第２主面壁を有し、前記縁部において、前記第２主面壁は、前記第１主面壁よりも外方に突出しており、
前記傾斜部は、前記第１主面壁と前記第２主面壁の端縁同士を連結しており、
前記パッケージ本体は、前記医療機器を取り出すための取出し用開口部と、前記取出し用開口部を閉じる蓋部とを有し、
前記蓋部は、前記第１主面壁の一部と前記傾斜部とにより構成され、
前記取出し用開口部は、前記傾斜部により閉じられる縁側開口部と、前記第１主面壁の他の部分に形成され前記縁側開口部に連なる切欠状の主面側開口部とを有する、
ことを特徴とする医療機器パッケージ。
【請求項２】
請求項１記載の医療機器パッケージにおいて、
前記傾斜部の表面には、前記医療機器に関する情報を示す情報表記部が設けられている、
ことを特徴とする医療機器パッケージ。
【請求項３】
請求項１又は２記載の医療機器パッケージにおいて、
前記医療機器は、長尺で可撓性を有するデバイスである、
ことを特徴とする医療機器パッケージ。
【請求項４】
請求項３記載の医療機器パッケージにおいて、
前記医療機器は、前記パッケージ本体内に渦巻き状に丸めて収納されている、
ことを特徴とする医療機器パッケージ。
【請求項５】
請求項１〜４のいずれか１項に記載の医療機器パッケージにおいて、
前記医療機器は、カテーテルである、
ことを特徴とする医療機器パッケージ。
【発明の詳細な説明】
【技術分野】
【０００１】
本発明は、箱状のパッケージ本体内に医療機器を収納した医療機器パッケージに関する。
【背景技術】
【０００２】
一般に、医療機器は、箱等のパッケージに収納された状態で製品としてユーザに提供される。例えば、カテーテル等の長尺な医療機器は、扁平な直方体形状のパッケージ内に収納された状態の医療機器パッケージとして提供される（例えば、特許文献１の図４Ａ参照）。多数のパッケージを保管する医療機関においては、パッケージを厚さ方向に重ねてキャビネットに収納するのが典型的である。
【先行技術文献】
【特許文献】
【０００３】
【特許文献１】特表２０１０−５０５４５３号公報
【発明の概要】
【発明が解決しようとする課題】
【０００４】
従来のパッケージは直方体形状である。このため、多数のパッケージが厚さ方向に重ねて収納されたキャビネットから必要なパッケージを取り出す際、隣接するパッケージ同士の間に指を挿入しづらい。このため、パッケージを取り出しにくい。また、キャビネットが低い位置や高い位置にある場合、商品名等の医療機器に関する情報が見づらい等の問題がある。
【０００５】
本発明はこのような課題を考慮してなされたものであり、キャビネットから取り出しやすい医療機器パッケージを提供することを目的とする。
【課題を解決するための手段】
【０００６】
上記の目的を達成するため、本発明は、医療機器と、前記医療機器を収容した扁平箱状のパッケージ本体と、を備えた医療機器パッケージであって、前記パッケージ本体の一辺を構成する縁部は、前記パッケージ本体の厚さ方向に対して傾斜した傾斜部を有することを特徴とする。
【０００７】
上記の構成を採用した本発明の医療機器パッケージによれば、縁部を手前側に向けて厚さ方向に重ねられた複数の医療機器パッケージが収納されたキャビネットから医療機器パッケージを取り出しやすい。すなわち、隣接する医療機器パッケージ同士の間に容易に指を挿入できることから、取り出そうとする当該医療機器パッケージの縁部をつかみやすい。これにより、キャビネットから医療機器パッケージを容易に引き出すことができる。
【０００８】
上記の医療機器パッケージにおいて、前記パッケージ本体は、前記厚さ方向に離間して互いに略平行に対向する第１主面壁及び第２主面壁を有し、前記縁部において、前記第２主面壁は、前記第１主面壁よりも外方に突出しており、前記傾斜部は、前記第１主面壁と前記第２主面壁の端縁同士を連結していてもよい。
【０００９】
この構成により、傾斜面の面積を大きく取りやすいため、医療機器パッケージを一層容易に引き出すことができる。
【００１０】
上記の医療機器パッケージにおいて、前記傾斜部の表面には、前記医療機器に関する情報を示す情報表記部が設けられてもよい。
【００１１】
この構成により、判読しやすい大きさで情報を表示しつつパッケージ本体の厚さを薄くすることができる。あるいは、パッケージ本体の厚さを従来品と同等としつつ、情報をより大きく表示することにより、より判読しやすくすることができる。また、医療機器パッケージが低い位置や高い位置にある場合、情報を傾斜面に表示することで判読しやすくなる。なお、情報は、医療機器パッケージの傾斜部の裏側、すなわち第２主面壁の第１主面壁よりも外方に突出した部分に表示してもよい。
【００１２】
上記の医療機器パッケージにおいて、前記パッケージ本体は、前記医療機器を取り出すための取出し用開口部と、前記取出し用開口部を閉じる蓋部とを有し、前記蓋部は、前記第１主面壁の一部と前記傾斜部とにより構成され、前記取出し用開口部は、前記傾斜部により閉じられる縁側開口部と、前記第１主面壁の他の部分に形成され前記縁側開口部に連なる切欠状の主面側開口部とを有していてもよい。
【００１３】
この構成により、取出し用開口部を大きくしてパッケージ本体から医療機器をより取り出しやすくすることができる。
【００１４】
上記の医療機器パッケージにおいて、前記医療機器は、長尺で可撓性を有するデバイスであってもよい。
【００１５】
上記の医療機器パッケージにおいて、前記医療機器は、前記パッケージ本体内に渦巻き状に丸めて収納されていてもよい。
【００１６】
上記の医療機器パッケージにおいて、前記医療機器は、カテーテルであってもよい。
【発明の効果】
【００１７】
本発明の医療機器パッケージによれば、厚さ方向に重ねられた医療機器パッケージが収納されたキャビネットから容易に取り出すことができる。
【図面の簡単な説明】
【００１８】
【図１】本発明の実施形態に係る医療機器パッケージの斜視図である。
【図２】図２Ａは、図１に示された医療機器パッケージの平面図であり、図２Ｂは、図１に示された医療機器パッケージの側面図である。
【図３】蓋部が開けられた状態の医療機器パッケージの斜視図である。
【図４】厚さ方向に複数重ねて並べられた状態でキャビネットに収納された医療機器パッケージの斜視図である。
【発明を実施するための形態】
【００１９】
以下、本発明に係る医療機器パッケージについて好適な実施形態を挙げ、添付の図面を参照しながら説明する。
【００２０】
図１において、医療機器パッケージ１０は、内容物である医療機器１２と、当該医療機器１２を収容したパッケージ本体１４とを備える。本実施形態において、医療機器１２は、カテーテルである。
【００２１】
より具体的には、医療機器１２は、可撓性を有する長尺なシャフト１２ａと、シャフト１２ａの基端部に連結されたハブ１２ｂと、シャフト１２ａの先端部に取り付けられたバルーン１２ｃとを備えたバルーンカテーテル１３である。バルーンカテーテル１３は、シャフト１２ａの箇所で渦巻き状に丸められることによりコンパクトにされた状態でパッケージ本体１４に収納されている。
【００２２】
パッケージ本体１４に収納される医療機器１２は、他の形態のカテーテル、例えば、自己拡張可能なステントあるいはバルーンにより強制拡張可能なステントが先端部に設けられたステントデリバリーカテーテル、造影剤等の薬剤を吐出する診断用カテーテル、他のカテーテルを目的部位の近傍まで案内するガイディングカテーテル等であってもよい。また、医療機器１２は、カテーテル以外の長尺で可撓性を有するデバイス、例えば、ガイドワイヤ等であってもよい。医療機器１２は、長尺で可撓性を有するデバイス以外のデバイスであってもよい。
【００２３】
パッケージ本体１４は、扁平箱状に形成されている。すなわち、パッケージ本体１４は、全体的に比較的薄くて平たい形状に形成された箱状の容器である。本実施形態では、パッケージ本体は、図２Ａに示すように、平面視で略四角形状に形成されている。パッケージ本体１４は、平面視で略正方形状でもよく、略長方形状でもよく、あるいは他の形状であってもよい。パッケージ本体の厚さｔ（図１参照）は、５〜４５ｍｍ、好ましくは７〜４０ｍｍ、具体的には１０〜１５ｍｍのものや３０〜４０ｍのもの等が挙げられる。
【００２４】
パッケージ本体１４の構成材料としては、例えば、ボール紙（板紙、厚紙）等の紙材が挙げられる。なお、パッケージ本体１４は、他の材料、例えば樹脂材料により構成されてもよい。
【００２５】
具体的に、パッケージ本体１４は、パッケージ本体１４の厚さ方向に離間して互いに略平行に対向する第１主面壁１６及び第２主面壁１８を有する。第１主面壁１６及び第２主面壁１８は、パッケージ本体１４の厚さ方向に略垂直に延在し、パッケージ本体１４の表面積の大部分を構成し、本実施形態では略四角形状に形成されている。
【００２６】
図１において下面部を構成する第２主面壁１８は、上面部を構成する第１主面壁１６よりも面積が大きく、パッケージ本体１４の一辺を構成する縁部１５において、第１主面壁１６よりも外方に突出している。
【００２７】
また、パッケージ本体１４は、第１主面壁１６と第２主面壁１８とを繋ぐとともに第１主面壁１６及び第２主面壁１８の外周縁を周回する周囲壁として、互いに平行に対向する第１側壁２０及び第２側壁２２と、前壁を構成する傾斜部２４と、傾斜部２４とは反対側の縁部の壁を構成する後壁２６とを有する。
【００２８】
第１側壁２０及び第２側壁２２は、パッケージ本体１４の厚さ方向に略平行（第１主面壁１６及び第２主面壁１８に略垂直）な壁部であり、本実施形態では細長い台形状に形成されている。後壁２６は、パッケージ本体１４の厚さ方向に略平行な壁部であり、本実施形態では細長い長方形状に形成されている。
【００２９】
傾斜部２４は、第１主面壁１６と第２主面壁１８の端縁同士を連結しており、パッケージ本体１４の厚さ方向に対して傾斜している。換言すれば、傾斜部２４は、パッケージ本体１４の厚さ方向に垂直な面（第１主面壁１６及び第２主面壁１８に平行な面）に対して傾斜している。
【００３０】
本実施形態では、傾斜部２４は、細長い長方形状の平面２４ａにより構成されている。この場合、パッケージ本体１４の厚さ方向に垂直な面に対する傾斜部２４の角度θ（図２Ｂ参照）は、例えば、２０〜８０°程度に設定され、好ましくは３０〜６０°に設定される。図１及び図２Ｂでは、傾斜部２４の角度θは４５°に設定されている。
【００３１】
なお、傾斜部２４は、平面２４ａに限られず、図２Ｂで仮想線で示すように、外側に膨らむ湾曲面２４ｂにより構成されてもよく、あるいは、内側に凹む湾曲面２４ｃにより構成されてもよい。
【００３２】
図１及び図２Ａにおいて、傾斜部２４の表面には、医療機器１２に関する情報を示す情報表記部２８が設けられている。当該情報表記部２８は、傾斜部２４の表面において、見やすい大きさで、見やすい位置に表示されている。当該情報表記部２８が示す情報としては、例えば、製品名、製品の種類、製品サイズ（長さ、太さ等）、製造年月日等を表す文字、数字、記号等が挙げられる。当該情報表記部２８は、傾斜部２４だけでなく、パッケージ本体１４における他の部分（例えば、第１主面壁１６）の表面にも表示されていてもよい。
【００３３】
また、図１において、パッケージ本体１４は、医療機器１２を取り出すための取出し用開口部３０と、取出し用開口部３０を閉じる蓋部３２とを有する。図３のように蓋部３２を開けると、取出し用開口部３０を介して医療機器１２が部分的に露出する。これにより、パッケージ本体１４内から医療機器１２を取り出すことができる。
【００３４】
具体的に、蓋部３２は、第１主面壁１６の一部（以下、「蓋要素３２ａ」という）と傾斜部２４とにより構成されている。傾斜部２４は、第１の折り目３６を介して第２主面壁１８に連なっている。蓋要素３２ａは、第１の折り目３６と平行な第２の折り目３８を介して傾斜部２４に連なっている。すなわち、蓋要素３２ａは、傾斜部２４及び２つの折り目３６、３８を介して第２主面壁１８に連結されている。
【００３５】
取出し用開口部３０は、傾斜部２４により閉じられる縁側開口部３０ａと、第１主面壁１６の他の部分に形成され縁側開口部３０ａに連なる切欠状の主面側開口部３０ｂとを有する。縁側開口部３０ａは、傾斜部２４が設けられた一辺側で開口する口部であり、傾斜部２４と略同じ大きさを有する。
【００３６】
主面側開口部３０ｂは、第１主面壁１６側で開口する口部である。主面側開口部３０ｂを閉じることができるように、蓋要素３２ａは主面側開口部３０ｂよりも大きく形成されている。縁側開口部３０ａと主面側開口部３０ｂとにより、比較的大きな取出し用開口部３０が構成されている。
【００３７】
次に、上記のように構成された医療機器パッケージ１０の作用及び効果を説明する。
【００３８】
多数の医療機器パッケージ１０を保有する医療機関においては、例えば、図４のように、医療機器パッケージ１０は、厚さ方向に重ねて並べられ且つ情報表記部２８が表示された傾斜部２４を手前側にした状態で、キャビネット４０に収納される。なお、図４では医療機器パッケージ１０が縦向きにして水平方向に重ねて並べられているが、これとは異なり、医療機器パッケージ１０が横向きにして鉛直方向に重ねられてもよい。
【００３９】
ここで、図４のようにキャビネット４０に収納された多数の医療機器パッケージ１０から、例えば１つの医療機器パッケージ１０ａを取り出す場合を想定する。医療機器パッケージ１０ａを取り出すために、当該医療機器パッケージ１０ａの両側に、すなわち医療機器パッケージ１０ａとその両側に隣接する医療機器パッケージ１０との間に、指を挿入し、パッケージ本体１４の縁部１５をつかむ。
【００４０】
また、医療機器パッケージ１０の傾斜部２４を、医療機器パッケージ１０を取り出す者の目の方向に向けて重ねて置いた場合、例えば水平方向に重ねられた医療機器パッケージ１０が低い位置に置いてある場合に、傾斜部２４を上方向に向けることで情報を判読しやすくなる。また、情報は、医療機器パッケージ１０の傾斜部２４の裏側、すなわち第２主面壁１８の第１主面壁１６よりも外方に突出した部分に表示しても同様な効果が得られる。
【００４１】
この場合、パッケージ本体１４の一辺を構成する縁部１５には、パッケージ本体１４の厚さ方向に対して傾斜した傾斜部２４が設けられているため、キャビネット４０から医療機器パッケージ１０ａを取り出しやすい。
【００４２】
すなわち、傾斜部２４が設けられていることにより、隣接する医療機器パッケージ１０の縁部１５同士の間に凹部（段差）が形成され、隣接する医療機器パッケージ１０同士の間に容易に指を挿入できる。このため、取り出そうとする当該医療機器パッケージ１０ａの縁部１５をつかみやすい。これにより、キャビネット４０から医療機器パッケージ１０ａを容易に引き出すことができる。なお、図４では、引き出している途中の医療機器パッケージ１０ａを仮想線で示している。
【００４３】
本実施形態では、傾斜部２４は、厚さ方向に離間して互いに略平行に対向する第１主面壁１６と第２主面壁１８の端縁同士を連結している（図１参照）。この構成により、傾斜部２４の面積を大きく取りやすいため、医療機器パッケージ１０を一層容易に引き出すことができる。
【００４４】
本実施形態では、傾斜部２４の表面に情報表記部２８が設けられているため、判読しやすい大きさで情報表記部２８を表示しつつパッケージ本体１４の厚さを薄くすることができる。あるいは、パッケージ本体１４の厚さを従来品と同等としつつ、情報表記部２８をより大きく表示することにより、より判読しやすくすることができる。
【００４５】
本実施形態では、パッケージ本体１４は、医療機器１２を取り出すための取出し用開口部３０と、取出し用開口部３０を閉じる蓋部３２とを有し、取出し用開口部３０は、傾斜部２４により閉じられる縁側開口部３０ａと、縁側開口部３０ａに連なる切欠状の主面側開口部３０ｂとを有する（図３参照）。この構成により、取出し用開口部３０を大きくしてパッケージ本体１４から医療機器１２をより取り出しやすくすることができる。
【００４６】
本発明は上記実施形態に限定されるものではなく、本発明の要旨を逸脱しない範囲において、種々の改変が可能である。
【符号の説明】
【００４７】
１０、１０ａ…医療機器パッケージ    １２…医療機器
１３…バルーンカテーテル            １４…パッケージ本体
１５…縁部                          １６…第１主面壁
１８…第２主面壁                    ２４…傾斜部
２８…情報表記部                    ３０…取出し用開口部
３０ａ…縁側開口部                  ３０ｂ…主面側開口部
３２…蓋部                          ４０…キャビネット
【図１】
0006591266.tif 000002
【図２】
0006591266.tif 000003
【図３】
0006591266.tif 000004
【図４】
0006591266.tif 000005